(57)【特許請求の範囲】
【請求項１】
引戸を移動自在に保持する建物側の建具枠と、前記引戸に設けられた電気機器との間を導通させる引戸用通電装置であって、
前記建具枠に設けられる筐体と、
該筐体に回動自在に設けられ外周面に少なくとも２条の環状導体が設けられたリールと、
前記筐体に設けられるとともにそれぞれの前記環状導体に圧接され信号電流が印加される複数の接触子と、
基端が該リールに固定され複数の基端側導線がそれぞれの前記環状導体に接続されるとともに先端が前記引戸に固定され先端側導線が前記電気機器に接続されかつ前記引戸の移動距離と同等以上の長さを有して該リールに巻装されるケーブルと、
前記筐体と前記リールとの間に介装され該ケーブルを巻き取る回転方向へ前記リールを付勢する付勢手段と、
を具備したことを特徴とする引戸用通電装置。
【請求項２】
引戸を移動自在に保持する建物側の建具枠と、前記引戸に設けられた電気機器との間を導通させる引戸用通電装置であって、
前記引戸に設けられる筐体と、
該筐体に回動自在に設けられ外周面に少なくとも２条の環状導体が設けられたリールと、
前記筐体に設けられるとともにそれぞれの前記環状導体に圧接され前記電気機器に電気的に接続される複数の接触子と、
基端が該リールに固定され複数の基端側導線がそれぞれの前記環状導体に接続されるとともに先端が前記建具枠に固定され先端側導線に信号電流が印加されかつ前記引戸の移動距離と同等以上の長さを有して該リールに巻装されるケーブルと、
前記筐体と前記リールとの間に介装され該ケーブルを巻き取る回転方向へ前記リールを付勢する付勢手段と、
を具備したことを特徴とする引戸用通電装置。
【請求項３】
前記ケーブルの先端が脱着可能なコネクタを介して前記引戸に接続されたことを特徴とする請求項１記載の引戸用通電装置。
【請求項４】
前記ケーブルの先端が脱着可能なコネクタを介して前記建具枠に接続されたことを特徴とする請求項２記載の引戸用通電装置。
【請求項５】
前記引戸の上縁が、前記建具枠の上枠に垂設された覆板によって覆われ、
該覆板によって覆われる引戸上縁の移動空間に、前記筐体から繰り出された前記ケーブルが配置されることを特徴とする請求項１，２，３，４のいずれか１つに記載の引戸用通電装置。
【請求項６】
前記付勢手段が、中心端部をリール軸に固定し、外周端部を前記筐体に固定した渦巻きばねであることを特徴とする請求項１，２，３，４，５のいずれか１つに記載の引戸用通電装置。
【請求項７】
前記ケーブルが、複数の導線を平行に一体配置したフラットケーブルであることを特徴とする請求項１，２，３，４，５，６のいずれか１つに記載の引戸用通電装置。
【発明の詳細な説明】
【技術分野】
【０００１】
本発明は、移動自在な引戸に取り付けられる電気錠等の電気機器に、信号電流を建物側の建具枠から供給する引戸用通電装置に関する。
【背景技術】
【０００２】
従来から、施解錠を電気錠によって行うようにした引戸がある。この種の引戸は、電気錠にリード線を介して給電する関係上、電気錠等の電気機器が建物側である固定建具枠に取り付けられ、受金具が引戸側に取り付けるようになっている。これら装置であっても固定建具枠側に電気錠を取り付ける余裕がある場合は何ら問題はないが、固定建具枠側に取り付ける余裕がない場合には、移動体側の引戸に電気錠を取り付けなければならず、それに伴い固定建具枠側から引戸側に給電する必要が生じる。
【０００３】
引戸のように移動する物体に固定側から給電する引戸用通電装置としては、例えば特許文献１に開示される通電装置がある。この通電装置は、電気錠を備えた引戸の上部又は戸枠の何れか一方に可動接触体を、他方に固定接触体をそれぞれ設け、これら可動接触体と固定接触体とは電気錠、又は電源と接続したリード線と接続し、閉戸時には可動接触体と固定接触体とを接触させ通電可能にすると共に、固定接触体、或いは可動接触体の少なくとも一方を被覆するカバーを可動自在に且つ常時バネなどの付勢力によつて被覆する方向に付勢して設け、閉戸時にカバーが付勢力に抗して移動し、可動接触体と固定接触体とが接触するように構成している。この構成により、電気錠を取り付けた戸を開放しているときには、可動接触体が固定接触体より離間して接触していないことから、上側のリード線を介して固定接触体に加電していても、下側のリード線には通電されないため、施錠することはできない。一方、戸を完全に閉じると、可動接触体が、固定接触体に接触し、上側のリード線及び下側のリード線を介して電気錠に通電可能となり、通電の瞬間に電気錠が施錠される。
【０００４】
また、引戸用通電装置には、特許文献２に開示される給電装置がある。この給電装置は、上枠上部にガイド部材を敷設し、同ガイド部材に案内されて左右摺動する複数のスライダーを設け、引戸に取り付けられた電気錠等の電気機器へ給電するためのケーブルを、引戸の最大移動距離で給電できる長さとし、複数のスライダーにケーブルを固着した構成としている。この構成により、引戸の移動につれてケーブルが牽引され、このケーブルの移動によってスライダーが摺動し、隣接するスライダー間でケーブルが延びたり、弛んだりするので、引戸の開放または閉鎖位置でケーブルが大きく垂れ下がったりせず、スパイラル線のようにコイルの外径が大きくなって、上枠の巾を大きくしなければならないようなことはない。
【特許文献１】実公平３−１２１２８号公報
【特許文献２】実開平７−６４８６号公報
【発明の開示】
【発明が解決しようとする課題】
【０００５】
しかしながら、特許文献１に開示される通電装置は、引戸を閉鎖した時のみに通電を可能とする構成であるため、常時監視が行えないとともに、引戸の開状態の検出と、信号線の断線との区別がつかない問題があった。また、端子数が多いため、薄厚の引戸には対応が困難となった。また、特許文献２に開示される給電装置は、複数の配線を太い１本のケーブルとし、弛ませて接続するため、大きな収容スペースを例えば建物壁側等に確保しなければならず、装置が大型化するとともに、構造も複雑となる問題があった。また、この特許文献２に開示される給電装置は、引戸にケーブルが接続されるため、引戸の取り外しが容易に行えなくなり、メンテナンス性も低下する問題があった。
【０００６】
本発明は上記状況に鑑みてなされたもので、その第１の目的は、簡素な構造で、常時接続のコンパクトな引戸用通電装置を提供し、もって、常時監視を可能にし、簡単な後付施工を可能にすることにある。また、その第２の目的は、引戸の建具枠からの取り外しが容易な引戸用通電装置を提供し、もって、メンテナンス性の確保を図ることにある。
【課題を解決するための手段】
【０００７】
次に、上記の課題を解決するための手段を、実施の形態に対応する図面を参照して説明する。
本発明の請求項１記載の引戸用通電装置は、引戸１１を移動自在に保持する建物側の建具枠１３と、前記引戸１１に設けられた電気機器１７との間を導通させる引戸用通電装置１００であって、
前記建具枠１３に設けられる筐体２１と、
該筐体２１に回動自在に設けられ外周面に少なくとも２条の環状導体３９が設けられたリール２３と、
前記筐体２１に設けられるとともにそれぞれの前記環状導体３９に圧接され信号電流が印加される複数の接触子２５と、
基端が該リール２３に固定され複数の基端側導線がそれぞれの前記環状導体３９に接続されるとともに先端が前記引戸１１に固定され先端側導線が前記電気機器１７に接続されかつ前記引戸１１の移動距離と同等以上の長さを有して該リール２３に巻装されるケーブル２７と、
前記筐体２１と前記リール２３との間に介装され該ケーブル２７を巻き取る回転方向へ前記リール２３を付勢する付勢手段２９と、
を具備したことを特徴とする。
【０００８】
この引戸用通電装置では、引戸１１が建具枠１３の任意の位置に移動されても、ケーブル２７が筐体２１に対し、巻き取り・繰り出され、常に弛みのない一定のテンションで建具枠１３と引戸１１との間に張架される。これにより、建具枠１３内に、筐体２１を収容するのみの簡素な構造で、常時接続の引戸用通電装置１００が構成可能となる。また、小型の筐体２１が、建具枠１３に取付けられるのみであり、建具枠１３の他の部分や、引戸１１に対する大きな加工が不要となる。
【０００９】
請求項２記載の引戸用通電装置は、引戸１１を移動自在に保持する建物側の建具枠１３と、前記引戸１１に設けられた電気機器１７との間を導通させる引戸用通電装置２００であって、
前記引戸１１に設けられる筐体２１と、
該筐体２１に回動自在に設けられ外周面に少なくとも２条の環状導体３９が設けられたリール２３と、
前記筐体２１に設けられるとともにそれぞれの前記環状導体３９に圧接され前記電気機器１７に電気的に接続される複数の接触子２５と、
基端が該リール２３に固定され複数の基端側導線がそれぞれの前記環状導体に接続されるとともに先端が前記建具枠１３に固定され先端側導線に信号電流が印加されかつ前記引戸１１の移動距離と同等以上の長さを有して該リール２３に巻装されるケーブル２７と、
前記筐体２１と前記リール２３との間に介装され該ケーブル２７を巻き取る回転方向へ前記リール２３を付勢する付勢手段２９と、
を具備したことを特徴とする。
【００１０】
この引戸用通電装置では、引戸１１が建具枠１３の任意の位置に移動されても、ケーブル２７が筐体２１に対し、巻き取り・繰り出され、常に弛みのない一定のテンションで建具枠１３と引戸１１との間に張架される。これにより、引戸内に、筐体２１を収容するのみの簡素な構造で、常時接続の引戸用通電装置２００が構成可能となる。また、小型の筐体２１を、引戸１１に取付けするのみであり、引戸１１の他の部分や、建具枠１３に対する大きな加工が不要となる。
【００１１】
請求項３記載の引戸用通電装置は、前記ケーブル２７の先端が脱着可能なコネクタ５３を介して前記引戸１１に接続されたことを特徴とする。
【００１２】
この引戸用通電装置では、コネクタ５３が引戸１１から脱着されることで、ケーブル２７が建具枠１３に設けられた筐体側に巻き取られ、引戸１１と筐体２１との接続が容易に解除可能となる。
【００１３】
請求項４記載の引戸用通電装置は、前記ケーブル２７の先端が脱着可能なコネクタ５３を介して前記建具枠１３に接続されたことを特徴とする。
【００１４】
この引戸用通電装置では、コネクタ５３が建具枠１３から脱着されることで、ケーブル２７が引戸１１に設けられた筐体側に巻き取られ、建具枠１３と筐体２１との接続が容易に解除可能となる。
【００１５】
請求項５記載の引戸用通電装置は、前記引戸１１の上縁１１ａが、前記建具枠１３の上枠１３ｂに垂設された覆板５９によって覆われ、
該覆板５９によって覆われる引戸上縁１１ａの移動空間に、前記筐体２１から繰り出された前記ケーブル２７が配置されることを特徴とする。
【００１６】
この引戸用通電装置では、引戸１１の移動に伴い、筐体２１から繰り出され、或いは巻き取られるケーブル２７が、常に一定のテンションの下で、覆板５９によって覆われる移動空間６１内で張架される。
【００１７】
請求項６記載の引戸用通電装置は、前記付勢手段２９が、中心端部をリール軸３７に固定し、外周端部を前記筐体２１に固定した渦巻きばね２９ａであることを特徴とする。
【００１８】
この引戸用通電装置では、リール軸方向の厚みを薄厚にした付勢手段２９が構成可能となる。
【００１９】
請求項７記載の引戸用通電装置は、前記ケーブル２７が、複数の導線を平行に一体配置したフラットケーブルであることを特徴とする。
【００２０】
この引戸用通電装置では、リール２３への巻き取り・繰り出しの際に、ケーブル２７が互いに噛み合わなくなる。
【発明の効果】
【００２１】
本発明に係る請求項１記載の引戸用通電装置によれば、建具枠に筐体を設け、この筐体にはケーブルが繰り出し可能となるように、このケーブルを巻装するリールを回転自在に支持し、ケーブルの基端側導線と導通させたリール外周の環状導体に接触子を圧接させ、この接触子に信号電流を印加するとともに、先端を引戸に固定したケーブルの先端側導線を、引戸の電気機器に接続したので、引戸が建具枠の任意の位置に移動されても、ケーブルが筐体に対し、巻き取り・繰り出され、常に弛みのない一定のテンションで建具枠と引戸との間に張架されることとなる。これにより、建具枠内に、筐体を収容するのみの簡素な構造で、常時接続のコンパクトな引戸用通電装置を実現させることができる。また、小型の筐体を、建具枠に取付けするのみであり、建具枠の他の部分や、引戸に対する大きな加工が不要となるので、後付施工を容易にすることができる。この結果、常時監視を、簡単な後付施工により可能にすることができる。なお、この構成は、特に引戸に筐体の収容スペースが確保できない場合に有効となる。
【００２２】
請求項２記載の引戸用通電装置によれば、引戸に筐体を設け、この筐体にはケーブルが繰り出し可能となるように、このケーブルを巻装するリールを回転自在に支持し、ケーブルの基端側導線と導通させたリール外周の環状導体に接触子を圧接させ、この接触子に電気機器を接続するとともに、先端を建具枠に固定したケーブルの先端側導線に信号電流を印加したので、引戸が建具枠の任意の位置に移動されても、ケーブルが筐体に対し、巻き取り・繰り出され、常に弛みのない一定のテンションで建具枠と引戸との間に張架されることとなる。これにより、引戸内に、筐体を収容するのみの簡素な構造で、常時接続のコンパクトな引戸用通電装置を実現させることができる。また、小型の筐体を、引戸に取付けするのみであり、引戸の他の部分や、建具枠に対する大きな加工が不要となるので、後付施工を容易にすることができる。この結果、常時監視を、簡単な後付施工により可能にすることができる。なお、この構成は、特に建具枠に筐体の収容スペースが確保できない場合に有効となる。
【００２３】
請求項３記載の引戸用通電装置によれば、ケーブルの先端が脱着可能なコネクタを介して引戸に接続されたので、コネクタを引戸から脱着することで、ケーブルは、建具枠に設けられた筐体側に巻き取られることとなり、引戸と筐体との接続を容易に解除することができる。この結果、引戸の建具枠からの取り外しを、容易にし、メンテナンス性を向上させることができる。
【００２４】
請求項４記載の引戸用通電装置によれば、ケーブルの先端が脱着可能なコネクタを介して建具枠に接続されたので、コネクタを建具枠から脱着することで、ケーブルは、引戸に設けられた筐体側に巻き取られることとなり、建具枠と筐体との接続を容易に解除することができる。この結果、引戸の建具枠からの取り外しを、容易に可能とすることができる。
【００２５】
請求項５記載の引戸用通電装置によれば、引戸の上縁が、建具枠の上枠に垂設された覆板によって覆われ、引戸上縁の移動空間に、筐体から繰り出されたケーブルが配置されるので、引戸の移動に伴い、筐体から繰り出され、或いは巻き取られるケーブルが、常に一定のテンションの下で、覆板によって覆われる移動空間内で張架されることとなり、ケーブルが目に触れず、見栄えを良くすることができる。
【００２６】
請求項６記載の引戸用通電装置によれば、付勢手段が、中心端部をリール軸に固定し、外周端部を筐体に固定した渦巻きばねであるので、リール軸方向の厚みを薄厚にした付勢手段を構成することができ、その結果、筐体をコンパクトに形成しながら、かつ十分な巻き取り力をえることができる。
【００２７】
請求項７記載の引戸用通電装置によれば、ケーブルが、フラットケーブルであるので、リールへの巻き取り・繰り出しの際に、ケーブルが噛み合うことなく、常に層状にスムースに巻き取ることができ、巻き取り・繰り出し動作の信頼性を高めることができる。
【発明を実施するための最良の形態】
【００２８】
以下、本発明に係る引戸用通電装置の好適な実施の形態を図面を参照して詳細に説明する。
図１は本発明に係る引戸用通電装置の設けられた建具枠の正面図、図２は本発明に係る引戸用通電装置の拡大斜視図、図３はリール部の拡大斜視図、図４はリール軸線に平行な面による断面図、図５はリール軸線に垂直な面による装置筐体の断面図、図６は引戸が開方向に移動された状態の正面図、図７は筐体が引戸側に設けられた変形例の正面図である。
本発明による引戸用通電装置１００は、引戸１１を移動自在に保持する建物側の建具枠１３と、引戸１１に設けられた電気機器との間を導通させる場合に好適に用いることができる。本実施の形態では、例えば引戸１１が、開口部１５を開閉する片開きの引戸であり、引戸１１に設けられる電気機器が電気錠１７である場合を例に説明する。また、本実施の形態では、装置の主要部である筐体が建具枠１３に設けられる場合を例に説明するが、後の変形例で述べるように、これとは逆に引戸１１に設けられるものであってもよい。
【００２９】
引戸１１には、建具枠１３の縦枠１３ａに対し電気信号の入力によって施解錠を可能とする電気錠１７が設けられている。なお、この電気錠１７は、縦枠１３ａに設けられた不図示のマグネット等によってオン・オフする近接センサを備え、引戸１１の開閉状態が検出できるようになっている構成としてもよい。
【００３０】
引戸用通電装置１００は、筐体２１と、リール２３と、接触子２５と、ケーブル２７と、付勢手段２９とを主要な構成部材として有している。図２に示すように、筐体２１は、リール２３を収容する収容空間を有した箱状に形成され、取付板２１ａが縦枠１３ａの戸当面３１にビス３３により固定される。取付板２１ａには開口スリット３５が形成され、開口スリット３５はケーブル２７の引き出しを可能としている。
【００３１】
図３に示すように、筐体２１に収容されるリール２３は、一対のフランジ部２３ａ，２３ａに、リール軸である軸部３７が固定され、この軸部３７両端が筐体２１の両内壁面に回転自在に支持される。フランジ部２３ａ，２３ａの外周面には、少なくとも１条ずつ、合計２条の環状導体３９が設けられている。環状導体３９には良好な導電性を有し、耐摩耗性に優れる銅板等の金属板が用いられる。
【００３２】
図４に示すように、筐体２１の上部には、導電材料からなる一対の接触子２５，２５が可動孔４１に上下動自在に収容される。接触子２５，２５は、コイルばね４３の付勢力により、下方向へ付勢されることで、それぞれがフランジ部外周面の環状導体３９に押圧されるようになっている。
【００３３】
それぞれの接触子２５，２５にはリード線４５が接続され、リード線４５は筐体２１の外部に導出されて先端にコネクタ４７が取り付けられる。このコネクタ４７は、不図示の中央制御室等から配線される信号配線に接続される。つまり、コネクタ４７、リード線４５、接触子２５，２５を介して環状導体３９には信号電流が印加されるようになっている。
【００３４】
軸部３７を内側に挿通するとともに、両端でフランジ部２３ａ，２３ａを連結するリール筒部２３ｂにはケーブル２７が巻装される。ケーブル２７は、基端がリール筒部２３ｂに固定されるとともに、基端側導線が上記したそれぞれの環状導体３９に配線４９によって接続されている。本実施の形態では、ケーブル２７が、複数、本実施の形態では２本の導線を平行に一体配置したフラットケーブルで構成される。これにより、リール２３への巻き取り・繰り出しの際に、ケーブル２７が噛み合うことなく、常に層状にスムースに巻き取ることができ、巻き取り・繰り出し動作の信頼性を高めることができるようになっている。
【００３５】
リール２３に巻装されるケーブル２７の先端は、引戸１１に固定され、ケーブル２７の先端側導線は、引戸１１内に配索される引戸内配線５１によって電気錠１７へと接続されている。ケーブル２７の先端と引戸１１とは、図２に示す脱着可能なコネクタ５３を介して接続されることが好ましい。これにより、コネクタ５３を引戸１１から脱着することで、ケーブル２７は、建具枠１３に設けられた筐体側に巻き取られることとなり、引戸１１と筐体２１との接続を容易に解除することができる。この結果、引戸１１の建具枠１３からの取り外しを、容易にし、メンテナンス性を向上させることができるようになっている。
【００３６】
なお、ケーブル２７の先端には、付勢手段２９により張力が加わるので、例えば、図２に示すような固定具５５をビス５７によって引戸１１に固定することで、ケーブル先端を引戸１１に支持させることが好ましい。これにより、ケーブル２７の張力が直接コネクタ５３に作用することを防止することができる。つまり、ケーブル２７の先端は、ビス５７を外し、固定具５５を外した後、コネクタ５３を結合解除することで、引戸１１から容易に取り外すことができる。
【００３７】
このケーブル２７の全長は、引戸１１の移動距離と同等以上の長さを有する。また、ケーブル２７は、断面湾曲形状にして自己真直性、例えば鋼製巻尺のような性質を付与したものであることが、弛み等が発生し難く好ましい。
【００３８】
図３，図４に示すように、一方のフランジ部２３ａと、筐体２１の側壁との間には付勢手段２９である渦巻きばね２９ａが配設されている。渦巻きばね２９ａは、ケーブル２７を巻き取る回転方向へリール２３を付勢する。渦巻きばね２９ａは、中心端部が軸部３７に固定され、外周端部が筐体２１に固定される。このように渦巻きばね２９ａが用いられることで、リール軸方向の厚みを薄厚にした付勢手段を構成することができ、その結果、筐体２１をコンパクトに形成しながら、かつ十分な巻き取り力をえることができる。
【００３９】
図１に示すように、引戸１１は、上縁１１ａが、建具枠１３の上枠１３ｂに形成される凹溝状のレール部分に配置され、このレール内にケーブル２７が配置する構成としてもよく、或いは、引戸１１の上縁１１ａが、建具枠１３の上枠１３ｂに垂設された覆板５９によって覆われる構成としてもよい。この構成によれば、上枠１３ｂの直下には、覆板５９によって覆われた引戸上縁１１ａの略凹溝状の移動空間６１が形成される。この移動空間６１には、筐体２１から繰り出されたケーブル２７が配置されることとなる。これにより、引戸１１の移動に伴い、筐体２１から繰り出され、或いは巻き取られるケーブル２７が、常に一定のテンションの下で、覆板５９によって覆われる移動空間６１内で張架されることとなり、ケーブル２７が目に触れず、引戸１１の周囲の見栄えを良くすることができるようになっている。
【００４０】
このように構成された引戸用通電装置１００では、図６に示すように、引戸１１が開方向に開かれると、ケーブル２７が引戸１１の移動に伴って筐体２１から繰り出される。また、開状態の引戸１１が閉方向に移動されると、渦巻きばね２９ａの付勢力により、ケーブル２７がリール２３に巻き取られて行く。したがって、引戸１１が建具枠１３の任意の位置に移動されても、ケーブル２７が筐体２１に対し、巻き取り・繰り出され、常に弛みのない一定のテンションで建具枠１３と引戸１１との間に張架される。これにより、建具枠１３内に、筐体２１を収容するのみの簡素な構造で、常時接続の引戸用通電装置１００が構成可能となる。また、小型の筐体２１が、建具枠１３に取付けられるのみであり、建具枠１３の他の部分や、引戸１１に対する大きな加工が不要となる。
【００４１】
したがって、上記の引戸用通電装置１００によれば、建具枠１３に筐体２１を設け、この筐体２１にはケーブル２７が繰り出し可能となるように、このケーブル２７を巻装するリール２３を回転自在に支持し、ケーブル２７の基端側導線と導通させたリール外周の環状導体３９に接触子２５，２５を圧接させ、この接触子２５，２５に信号電流を印加するとともに、先端を引戸１１に固定したケーブル２７の先端側導線を、引戸１１の電気錠１７に接続したので、引戸１１が建具枠１３の任意の位置に移動されても、ケーブル２７が筐体２１に対し、巻き取り・繰り出され、常に弛みのない一定のテンションで建具枠１３と引戸１１との間に張架されることとなる。
【００４２】
これにより、建具枠１３内に、筐体２１を収容するのみの簡素な構造で、常時接続のコンパクトな引戸用通電装置１００を実現させることができる。また、小型の筐体２１を、建具枠１３に取付けするのみであり、建具枠１３の他の部分や、引戸１１に対する大きな加工が不要となるので、後付施工を容易にすることができる。この結果、常時監視を、簡単な後付施工により可能にすることができる。なお、この構成は、特に引戸１１に筐体２１の収容スペースが確保できない場合に有効となる。
【００４３】
なお、上記の実施の形態では、建具枠１３に筐体２１を設け、筐体２１から繰り出されるケーブル２７の先端を、引戸１１に固定する構成を例に説明したが、本発明に係る引戸用通電装置は、図７に示すように、上記の実施の形態とは逆に、引戸１１に筐体２１を設け、ケーブル２７の先端を建具枠１３に固定するものであってもよい。
【００４４】
すなわち、この変形例による引戸用通電装置２００は、引戸１１に設けられる筐体２１と、筐体２１に回動自在に設けられ外周面に少なくとも２条の環状導体３９が設けられたリール２３と、筐体２１に設けられるとともにそれぞれの環状導体３９に圧接され電気錠１７に電気的に接続される複数の接触子２５，２５と、基端がリール２３に固定され複数の基端側導線がそれぞれの環状導体３９に接続されるとともに先端が建具枠１３に固定され先端側導線に信号電流が印加されかつ引戸１１の移動距離と同等以上の長さを有してリール２３に巻装されるケーブル２７と、筐体２１とリール２３との間に介装されケーブル２７を巻き取る回転方向へリール２３を付勢する渦巻きばね２９ａとを備えて構成される。
【００４５】
そして、ケーブル２７の先端は、脱着可能なコネクタ５３を介して建具枠１３に接続される。
【００４６】
この変形例による引戸用通電装置２００によれば、引戸１１に筐体２１を設け、この筐体２１にはケーブル２７が繰り出し可能となるように、このケーブル２７を巻装するリール２３を回転自在に支持し、ケーブル２７の基端側導線と導通させたリール外周の環状導体３９に接触子２５，２５を圧接させ、この接触子２５，２５に電気錠１７を接続するとともに、先端を建具枠１３に固定したケーブル２７の先端側導線に信号電流を印加したので、引戸１１が建具枠１３の任意の位置に移動されても、ケーブル２７が筐体２１に対し、巻き取り・繰り出され、常に弛みのない一定のテンションで建具枠１３と引戸１１との間に張架されることとなる。
【００４７】
これにより、引戸内に、筐体２１を収容するのみの簡素な構造で、常時接続のコンパクトな引戸用通電装置２００を実現させることができる。また、小型の筐体２１を、引戸１１に取付けするのみであり、引戸１１の他の部分や、建具枠１３に対する大きな加工が不要となるので、後付施工を容易にすることができる。この結果、常時監視を、簡単な後付施工により可能にすることができる。なお、この構成は、特に建具枠１３に筐体２１の収容スペースが確保できない場合に有効となる。
【００４８】
そして、この構成の場合においても、ケーブル２７の先端が脱着可能なコネクタ５３を介して建具枠１３に接続されたので、コネクタ５３を建具枠１３から脱着することで、ケーブル２７は、引戸１１に設けられた筐体側に巻き取られることとなり、建具枠１３と筐体２１との接続を容易に解除することができる。この結果、引戸１１の建具枠１３からの取り外しを、容易に可能とすることができる。
【００４９】
なお、上記した付勢手段２９は、牽引力を発生させるものであってもよい。すなわち、ケーブル２７に対する張力（テンション）を発生させるだけでなく、引戸１１を牽引可能な付勢力を備える構成としてもよい。このような構成とすることで、自動的に閉鎖可能な引戸を構成できる。
【図面の簡単な説明】
【００５０】
【図１】本発明に係る引戸用通電装置の設けられた建具枠の正面図である。
【図２】本発明に係る引戸用通電装置の拡大斜視図である。
【図３】リール部の拡大斜視図である。
【図４】リール軸線に平行な面による断面図である。
【図５】リール軸線に垂直な面による装置筐体の断面図である。
【図６】引戸が開方向に移動された状態の正面図である。
【図７】筐体が引戸側に設けられた変形例の正面図である。
【符号の説明】
【００５１】
１１…引戸
１１ａ…引戸の上縁
１３…建具枠
１３ｂ…建具枠の上枠
１７…電気機器（電気錠）
２１…筐体
２３…リール
２５…接触子
２７…ケーブル
２９…付勢手段
２９ａ…渦巻きばね
３７…リール軸（軸部）
３９…環状導体
５３…コネクタ
５９…覆板
６１…引戸上縁の移動空間
１００，２００…引戸用通電装置
【図１】
0004686366.tif 000002
【図２】
0004686366.tif 000003
【図３】
0004686366.tif 000004
【図４】
0004686366.tif 000005
【図５】
0004686366.tif 000006
【図６】
0004686366.tif 000007
【図７】
0004686366.tif 000008